(57)【要約】【課題】切屑が工具や被削材に絡み付くことなく、所望する位置まで誘導することができる切削工具を提供する。【解決手段】本発明の切削工具は、すくい面の先端にある切れ刃で切削された被削材の切屑を切れ刃の後方側にある入口から導入して、少なくとも一時的にすくい面よりも下方へ誘導する溝状または穴状の通路からなる誘導路を備えることを特徴とする。特に、切屑とすくい面との接触領域を拘束する拘束面がすくい面の刃先側に設けられていると、拘束面から離脱した切屑が誘導路へ誘導され易くなって好ましい。誘導路の断面形状や延在方向は途中で変化してもよい。拘束面も、切れ刃の稜線方向に沿って断面形状または幅が変化してもよい。拘束面の後方側に切屑を誘導路の入口へ案内する案内部が設けられていてもよい。この切削工具を用いれば、切屑が加工点へ回帰することがなく、切屑処理効率が向上して、高品質な切削品を効率的に生産できる。【選択図】図１３
2015213992.tif 000002
【特許請求の範囲】
【請求項１】
すくい面の先端にある切れ刃で切削された被削材の切屑を該切れ刃の後方側にある入口から導入して、少なくとも一時的に該すくい面よりも下方へ誘導する溝状または穴状の通路からなる誘導路を備えることを特徴とする切削工具。
【請求項２】
さらに、前記切れ刃から連なり前記すくい面の刃先側に設けられて前記切屑と該すくい面との接触領域を拘束する拘束面を有し、
該拘束面により該切屑が前記誘導路へ誘導される請求項１に記載の切削工具。
【請求項３】
前記誘導路は、前記通路の断面形状または延在方向が変化する変態通路からなる請求項１または２に記載の切削工具。
【請求項４】
さらに、前記誘導路の入口近傍に設けられ前記切屑を該誘導路内へ導入させる導入部を備える請求項１〜３のいずれかに記載の切削工具。
【請求項５】
前記誘導路は、前記切れ刃の近傍へ切削油を供給する油路の少なくとも一部を兼ねる請求項１〜４のいずれかに記載の切削工具。
【請求項６】
さらに、前記誘導路に連通する前記切削油の供給油路を備える請求項５に記載の切削工具。
【請求項７】
前記拘束面は、該拘束面の後方側に前記切屑を前記誘導路の入口へ案内する案内部を有する請求項２〜６のいずれかに記載の切削工具。
【請求項８】
前記拘束面は、前記切れ刃の稜線方向に沿って断面形状または幅が変化する変態面からなる請求項２〜７のいずれかに記載の切削工具。
【請求項９】
前記切れ刃を外周端にＣ字状または環状に有するチップと、
該チップに内挿され、該チップの内周面との間で前記誘導路を形成する外周面を有する誘導路形成治具と、
を備える請求項１〜８のいずれかに記載の切削工具。
【請求項１０】
請求項１〜９のいずれかに記載の切削工具を用いて被削材を切削することを特徴とする切削方法。
【発明の詳細な説明】
【技術分野】
【０００１】
本発明は、高品質な切削品を効率的に生産できる切削工具と、それを用いた切削方法に関する。
【背景技術】
【０００２】
精度を要求される機械部品等には、鋳物や金属素材などの被削材を切削した切削品が用いられる。切削品の高品質化や生産性向上を図る際、切削性の改善のみならず、切削により生じる切屑の処理も重要となる。
【０００３】
切屑は通常、切れ刃により被削材から切離された後、すくい面に接触しつつすくい面に沿って流出していく。この際、切削工具には切屑の流出方向に沿った摩擦力が作用する。この摩擦力は、切屑とすくい面の接触領域の面積に応じた大きさとなり、切屑の厚さや切削力等に影響を及ぼす。例えば、その摩擦力が減少すると、すくい面により被削材へ作用するせん断力の角度が増加し、それに応じて切屑は薄くなると共に、切削合力（主分力、背分力、送り分力の合力）も減少する。
【０００４】
そこで、すくい面の刃先部分を２段形状にして、切屑とすくい面の接触領域面積（適宜、単に「接触長さ」ともいう。）を制限する接触領域（面積）拘束工具（これを適宜「拘束工具」という。／図１５Ｂ参照）が従来から提案されている。この拘束工具を用いると、すくい面が単一な平面からなる切削工具（これを適宜「平面工具」という。／図１５Ａ参照）を用いた場合よりも、接触長さが相応に短縮され、切屑とすくい面の間に作用する摩擦力も低減されて、切屑が薄くなると共に切削力も低減される。このような拘束工具に関する提案は多くなされており、例えば下記の特許文献に関連した記載がある。
【０００５】
もっとも、拘束工具を用いて切取り厚さの少ない仕上加工等を行うと、切削力が低減されて切屑が薄くなる分、切屑は長く連続して流出し易くなる。このような切屑は、単に絡み付き易いだけではなく、切削部分（加工点）へ回帰して噛み込まれ易く、切削不良や工具折損等の原因となる。
【０００６】
一方で、すくい面の後方側に突起状の段差（チップブレーカ）を設け、切屑の流出方向を制御し、切屑を強制的にカールさせて、短く分断する切削工具（図１５Ｃ参照）が従来から提案されている。
【先行技術文献】
【特許文献】
【０００７】
【特許文献１】特公昭６０−４８２８３号公報
【特許文献２】特公平３−６７８０３号公報
【発明の概要】
【発明が解決しようとする課題】
【０００８】
もっとも、チップブレーカが有効に機能し得る加工範囲は限定的であり、常に切屑が細かく分断されるわけではない。例えば、図１６に示すように、切削品の品質に直結する仕上加工時に、チップブレーカは必ずしも有効ではない。仕上加工時、上述したように、切屑は薄くて高延性（低剛性）となるため、分断されずに長く繋がったまま流出して、切削品や工具に絡み付いたり、加工点に噛み込まれたりし易い。その結果、チップブレーカを有する切削工具を用いても、切削面に傷を付ける切削不良や工具欠損等が生じ得る。
【０００９】
本発明はこのような事情に鑑みて為されたものであり、切屑処理を工夫することにより、広範囲な加工条件下で高品質な切削品を効率的に生産できる切削工具と、それを用いた切削方法を提供することを目的とする。
【課題を解決するための手段】
【００１０】
本発明者はこの課題を解決すべく鋭意研究し、試行錯誤を重ねた結果、切屑をすくい面よりも下方（すくい面に関して切削方向側または主分力の方向側）へ積極的に誘導し、切屑の加工点への回帰や絡み付き等を回避して、切屑を効率的に回収できる誘導路を切れ刃の後方に設けることを着想した。この着想を具現化すると共に発展させることによって、以降に述べる本発明を完成するに至った。
【００１１】
《切削工具》
（１）本発明の切削工具は、すくい面の先端にある切れ刃で切削された被削材の切屑を該切れ刃の後方側にある入口から導入して、少なくとも一時的に該すくい面よりも下方へ誘導する溝状または穴状の通路からなる誘導路を備えることを特徴とする。
【００１２】
（２）本発明の切削工具は、誘導路を備えることにより、工具刃先（切れ刃）から生じた切屑の流出を、少なくとも一時的に、すくい面の下方にある所望位置まで誘導制御することができる。従って本発明の切削工具によれば、切屑を加工点へ戻すことなく、確実に切削領域（少なくとも切れ刃の近傍域）から離脱させることができ、切屑の回帰や切屑の絡き付き等による切削不良、切削工具の欠損等を生じずに、荒加工のみならず仕上加工も、高品質で効率的に行うことができる。さらに本発明の切削工具を用いれば、ほぼ全ての切屑を所望位置まで確実に誘導できるため、切屑がすくい面の近傍で散乱したりすることがなく、切屑処理（回収、清掃等）に要する工数を大幅に短縮でき、トータル的に観て加工能率の向上、加工コストの低減等も十分に図ることが可能となる。
【００１３】
《切削方法》
本発明は、上述した切削工具としてのみならず、上述した切削工具を用いて被削材を切削することを特徴とする切削方法としても把握できる。本発明の切削工具は種々の旋削加工に用いられるが、特に、長く連続した切屑が生じ易い旋削加工（回転する被削材に対して切削工具を直線的に移動させて行う切削）加工に好適である。従って本発明の切削方法も旋削方法であると好適である。なお、本発明の切削方法は、上述した切削工具を用いて被削材を切削した切削品を得る切削工程を備えることを特徴とする切削品の製造方法と換言することもできる。
【００１４】
《その他》
特に断らない限り本明細書でいう「ｘ〜ｙ」は下限値ｘおよび上限値ｙを含む。本明細書に記載した種々の数値または数値範囲に含まれる任意の数値を新たな下限値または上限値として「ａ〜ｂ」のような範囲を新設し得る。
【図面の簡単な説明】
【００１５】
【図１】拘束面の形態例を示す図である。
【図２Ａ】切れ刃に平行な後端部を有する拘束面を通過した切屑が、その直下にあるすくい面上を流出する様子を示す模式図である。
【図２Ｂ】そのすくい面上にできた切屑による擦過痕を示す写真である。
【図２Ｃ】そのすくい面上を流出した切屑の表面を示す写真である。
【図３Ａ】波状な後端部（案内部）を有する拘束面を通過した切屑が、その直下にあるすくい面上を流出する様子を示す模式図である。
【図３Ｂ】そのすくい面上にできた切屑による擦過痕を示す写真である。
【図３Ｃ】そのすくい面上を流出した切屑の表面を示す写真である。
【図４】案内部の別の形態を示す模式図である。
【図５Ａ】変態面からなる拘束面の第１例を示す平面図である。
【図５Ｂ】変態面からなる拘束面の第２例を示す平面図である。
【図５Ｃ】変態面からなる拘束面の第３例を示す平面図である。
【図５Ｄ】変態面からなる拘束面の第４例を示す平面図である。
【図５Ｅ】変態面からなる拘束面の第５例を示す平面図である。
【図５Ｆ】変態面からなる拘束面の第６例を示す平面図である。
【図６】誘導路の形態例を示す図である。
【図７】誘導路の入口の形態例を示す図である。
【図８】誘導路の経路と断面形状が変化する形態例を示す図である。
【図９】誘導路が切削油の油路を兼ねる一例を示す図である。
【図１０Ａ】チップとクランプ治具（誘導路形成治具）により誘導路が構成される一例を示す平面図である。
【図１０Ｂ】図１０ＡにおけるＡ−Ａ断面図である。
【図１０Ｃ】図１０ＡにおけるＢ−Ｂ断面図である。
【図１０Ｄ】図１０ＡにおけるＡ−Ａ断面図の変形例である。
【図１１Ａ】チップとクランプ治具（誘導路形成治具）により誘導路が構成される別例を示す平面図である。
【図１１Ｂ】図１１ＡにおけるＡ−Ａ断面図である。
【図１２Ａ】拘束工具を用いた旋削加工の様子を示す写真である。
【図１２Ｂ】平面工具を用いた旋削加工の様子を示す写真である。
【図１３】切取り厚さと流出角度の関係を示すグラフである。
【図１４Ａ】誘導路を有する拘束工具の刃先形状を示す図である。
【図１４Ｂ】その拘束工具を用いた旋削加工の様子を示す写真である。
【図１５Ａ】従来の平面工具を用いた旋削加工の様子を示す模式図である。
【図１５Ｂ】従来の拘束工具を用いた旋削加工の様子を示す模式図である。
【図１５Ｃ】チップブレーカを有する切削工具を用いた旋削加工の様子を示す模式図である。
【図１６】従来の送り量と切込みに対する切屑処理性能を示す説明図である。
【発明を実施するための形態】
【００１６】
本明細書で説明する内容は、本発明の切削工具のみならず切削方法にも適宜該当し得る。切削方法に関する構成要素は、プロダクトバイプロセスとして理解すれば切削品に関する構成要素ともなり得る。上述した本発明の構成要素に、本明細書中から任意に選択した一つまたは二つ以上の構成要素を付加し得る。いずれの実施形態が最良であるか否かは、対象、要求性能等によって異なる。
【００１７】
《拘束面》
（１）意義
本発明に係る切屑は、誘導路を介してすくい面の下方へ誘導される。もっとも、切れ刃で切離（剪断）された直後の切屑の流出方向自体がすくい面の下方であると、切屑を誘導路の入口へ誘導し易く、また誘導路内における切屑の流動性も高まって好ましい。
【００１８】
なお、本明細書でいう「すくい面の下方」とは、すくい面を境界面として、すくい角が増大する方向である。逆に、すくい面の上方とは、すくい角が減少する方向であり、切れ刃で切離された直後の切屑が存在する側である。
【００１９】
ところで、平面工具を用いた場合でも、すくい角を大きくしたり、切削方向とすくい面の角度を調整したりすることにより、切屑の流出方向をすくい面の下方とすることが可能である。しかし、すくい角を大きくすると、刃先が鋭くなり、工具強度が低下して工具欠損を生じ易くなる。また、多くの切削加工（特に旋削加工）の場合、切削方向とすくい面は略直角であるため、現実には上記の角度調整は容易ではない。
【００２０】
一方、拘束工具を用いると、切屑の流出方向がすくい面の下方となることが本発明の研究により明らかとなった。これは、切屑とすくい面の接触面積（接触長さ）の減少により、切屑をすくい面に沿って流出させる力が減少し、切屑に切削方向の力がより大きく作用するようになったため、つまり切屑に作用する合力がすくい面の下方側に向くようになったためと考えられる。
【００２１】
そこで本発明の切削工具は、切れ刃から連なってすくい面の刃先側に設けられ、切屑とすくい面との接触領域を拘束する拘束面をさらに有する拘束工具であると好ましい。拘束工具を用いることにより、拘束面から離脱した切屑が誘導路へ大幅に誘導され易くなる。また拘束工具を設けると、すくい角を大きくする必要もないため、工具欠損の抑止も図れる。
【００２２】
（２）形態
本発明に係る拘束面は種々の形態をとり得る。拘束面の形態は、被削材の種類（材質）、切削の種類（旋削、平削り等）、加工条件（切削速度、切込み、送り等）、誘導路の位置等に応じて適宜、変更または選択される。なお、本明細書でいう「拘束面」は、それを構成する単なる平面または曲面のみならず、適宜、それらの面を含む刃先部を意味する。
【００２３】
拘束面の種々の形態例を図１に示した。いずれも、拘束面を含む刃先部の切れ刃稜線に垂直な断面形状を示したものである。図１に示した拘束面１１は、本来のすくい面Ｃ１よりもすくい角を大きくし、積極的に切屑の流出角度を負側にして、切屑の流出方向を本来のすくい面Ｃ１の下方へ向けるものである。なお、本明細書でいう流出角度は、すくい面を０°として、すくい面の下方側を負、反対側を正とする。
【００２４】
拘束面１２は、切屑の流出方向がすくい面Ｃ１の下方（流出角度が負角）となることを前提に、すくい角を小さくして、刃先部の強度を向上させたものである。拘束面１３は拘束面１１の平面を曲面としたものであり、拘束面１４は拘束面１２の平面を曲面としたものである。このように拘束面を曲面とすることにより、切屑の流出角度と刃先強度の両立が可能となる。拘束面１５は拘束面を階段状としたものであり、拘束面１６は他面状としたものである。このよう拘束面を複数（平）面で構成することにより、拘束面から離脱した切屑の流出角度の調整が容易となる。
【００２５】
（３）案内部
本発明に係る拘束面は、その後方側（後端部）が切れ刃に平行な直線状となっていてもよいが、さらに、切屑を誘導路の入口へ案内する案内部を有すると好ましい。この案内部により、拘束面を離脱して下方へ向かう切屑は、左右方向の散乱が抑制されて、効率的に誘導路へ導かれる。この点を以下に具体的に説明する。
【００２６】
先ず、図２Ａに示すように、拘束面２０の後端部２０２が切れ刃２０１に平行な直線状である場合、拘束面２０を離脱した切屑の流出方向は、拘束面２０に後続するすくい面Ｃ２上において左右に散らばり一方向に安定しない。このことは、図２Ｂに示すように、実際に切削を行ったときに、すくい面Ｃ２にできた擦過痕が、拘束面２０の後端部２０２を転写した模様となっていないことからもわかる。なお、このときの切屑表面（すくい面と接触した面）には、図２Ｃに示すように、平滑で直線的な擦過痕が観られた。
【００２７】
次に、図３Ａに示すように、拘束面２１の後端部２１２が切れ刃２１１と異なる波形状である場合、拘束面２１を離脱した切屑の流出方向は、すくい面Ｃ２上において一方向に安定し易い。これは図３Ｂに示すように、実際にすくい面Ｃ２にできた擦過痕が拘束面２１の後端部２１２をほぼ転写したものとなっていることからもわかる。このときの切屑表面（すくい面と接触した面）には、図３Ｃに示すように、波状の擦過痕が観られた。
【００２８】
なお、図２Ｂ、図２Ｃ、図３Ｂおよび図３Ｃに示した写真は、拘束面２０、２１とそれらに後続するすくい面Ｃ２を有する切削工具（図１５Ｂ参照）を用いて、アルミニウム合金パイプ（φ５０×ｔ２ｍｍ／ＪＩＳＡ６０６３）の端面を、肉厚部の全幅旋削（回転数：１３５０ｒｐｍ）したときに得られたものである。なお、拘束面２０、２１はすくい面Ｃ２に平行な平面とした。
【００２９】
このように拘束面の後端部に案内部を設けることにより、すくい面上における切屑の流出方向の安定化（左右方向への散乱抑制）を図れる。この理由は次のように考えられる。案内部を設けると、切屑はその案内部の形状（例えば凹凸状）が転写された状態となり、案内部と嵌合しつつ流出する。そして切屑が単なる箔状ではなく波状（凹凸状）等となる場合、切屑は断面二次モーメントの増加により高剛性化し、切屑はより直進し易くなる。このように案内部との嵌合による切屑の拘束や切屑の高剛性化が相乗的に作用して、切屑は左右方向へ散乱することなく誘導路の入口へ導かれ易くなったと考えられる。
【００３０】
本発明に係る案内部は、上述した波状（複数の凹凸状）の後端部からなる他、図４に示すように、拘束面２２の後端部２２２が一つの台形凹状となる場合でも、拘束面２３の後端部２３２が一つの湾曲凹状となる場合でもよい。
【００３１】
（４）変態面
拘束面は、その先端にある切れ刃に沿って延在する。その延在方向は、一定でも、変化してもよい。さらに、拘束面の断面形状（刃先稜線に垂直な断面）や面幅（刃先稜線に垂直な方向の長さ）、つまり拘束面の後端稜線も、切れ刃に沿って変化してもよい。このように拘束面（特に後端部または後端稜線）を変化させることにより、すくい面の下方向に流出する切屑を所望位置へ導くことが容易となる。このように本発明に係る拘束面は、切れ刃の稜線方向に沿って断面形状または幅が変化する変態面からなってもよい。
【００３２】
変態面からなる拘束面の形態例を図５Ａ〜図５Ｆに示した。図５Ａに示した拘束面３１は、コーナ状に湾曲した切れ刃３１１と、その切れ刃３１１に平行な後端稜線３１２を有する変態面からなり、その内側にすくい面Ｃ３が連なっている。図５Ｂに示した拘束面３２は、コーナ状に湾曲した切れ刃３１１と、その切れ刃３２１とは非平行な異形の後端稜線３２２を有する変態面からなる。図５Ｃに示した拘束面３３は、拘束面３１の平面を同図に示すような断面形状の曲面とした場合であり、コーナ状に湾曲した切れ刃３３１と、その切れ刃３３１と平行な後端稜線３３２を有する変態面からなる。図５Ｄに示した拘束面３４は、拘束面３１の平面を位置によって断面形状が異なる曲面３４ａ、３４ｂとした場合であり、コーナ状に湾曲した切れ刃３４１と、その切れ刃３４１と平行な後端稜線３４２を有する変態面からなる。図５Ｅに示した拘束面３５は、コーナ状に湾曲した切れ刃３５１と、その切れ刃３５１に沿って延在する波状の後端稜線３５２を有する変態面からなる。図５Ｆに示した拘束面３６は、コーナ状に湾曲した切れ刃３６１と、その切れ刃３５１に沿って延在する波状の後端稜線３６２ａと直線状の後端稜線３６２ｂを有する変態面からなる。これら拘束面３５、３６は、上述した案内部の機能を兼ねる。図５Ａ〜図５Ｆに示した各拘束面を有する切削工具は、旋削等に用いる切削工具の刃先コーナ部に適する。
【００３３】
《誘導路》
（１）概要
本発明に係る誘導管は、切れ刃の後方にあるすくい面側に切屑の入口を有し、切屑を少なくとも一時的にすくい面よりも下方へ誘導する溝状または穴状の通路からなる。入口はすくい面中にあってもよいし、すくい面中になくてもよい。切屑処理が適切になされる限り、誘導路の出口が設けられる位置は問わない。通常、出口は切屑が排出される側に設けられる。誘導路は、断面の一部が開口している開溝状でも良いし、断面が閉口している穴状（具体的には閉溝状またはトンネル状）の通路でもよい。
【００３４】
（２）変態通路
誘導路は、切屑の流動が確保される限り、入口から出口までストレートに延在する通路でも良いし、その途中で曲がったり折れたりしていてもよい。また誘導路の断面形状も種々考えられ、円形、方形等の他、波形、その他の異形状でもよい。さらには、誘導路中の位置によって断面形状が変化してもよい。このように本発明に係る誘導路は、通路の断面形状または延在方向が変化する変態通路とすることにより、切屑の流動性、誘導位置（排出位置）等を自在に制御可能となる。
【００３５】
誘導路の形態例を図６に示した。誘導路４１は、拘束面ｒｆの直下に連なるすくい面ｃｆ上に入口（開口）を有し、上下方向に延在するストレート状の通路からなる。誘導路４２は、その出口が拘束面ｒｆの下方に配置された左傾斜路からなる。誘導路４３は、その出口が拘束面ｒｆの反対側下方に配置された右傾斜路からなり、途中に水平路を有する。なお、本明細書では適宜、刃先側（被削材側）を左側、その反対側を右側とする。誘導路４４は、途中で折れ曲がって連なる右傾斜路と水平路を有し、右側面に出口が配設される。誘導路４５は、途中で折れ曲がって連なる右傾斜路と水平路と左傾斜路とからなるＶ字状の通路からなり、出口がすくい面の後方となる。このような誘導路により、切屑を所望位置まで容易に導くことできる。
【００３６】
また誘導路４６は、通路幅または通路断面が徐々に拡大する右傾斜路からなる。これにより、誘導路内における切屑の詰まりを抑止できる。さらに誘導路４７は、通路幅または通路断面が徐々に縮小する右傾斜路からなる。これにより、切屑を限定的な特定位置へ誘導できる。
【００３７】
誘導路４８は、入口近傍に拘束面ｒｆから離脱して流出してくる切屑を受け止めて内部へ導入する断面三角形状の導入部４８１を有する。誘導路４９は、誘導路４８の導入部４８１の形状を断面台形形状の導入部４９１に変更したものである。このように誘導路の入口近傍に、切屑の誘導路内への導入を促進する導入部をさらに設けることにより、切屑を誘導路へ確実に導くことができる。
【００３８】
（３）入口または通路断面
誘導路の入口または通路断面も種々の形状が考えられる。その入口または通路断面（以下、単に「入口」という。）の形態例を図７に示した。入口５１は、拘束面ｒｆの直下にあるすくい面ｃｆ上にある長方形状の開口からなる。入口５２は、長方形状開口の隅部を円弧状に丸めたものである。入口５３は、三角形状開口の隅部を丸めたものである。
入口５４は、楕円状の開口からなる。入口５５は、楕円状開口の輪郭を波状にしたものである。入口５６は、長方形状開口の輪郭を波状にしたものである。
【００３９】
切屑の形態（厚さ、幅等）に応じて、適切な入口形状（通路断面形状も同様）を選択することにより、切屑を誘導路の入口から出口まで誘導し易くなる。例えば、誘導路の入口や通路の隅部を丸めることにより、切屑の挟まりや詰まりを抑制して、切屑を滑らかに出口まで誘導させることができる。また誘導路の内周面を波状とすることにより、その内周面と切屑の接触抵抗を低減させて、誘導路内における切屑の流動性を高めることができる。なお、誘導路の内周面の波状ピッチは、想定される切屑厚さよりも小さくすると、誘導路の内周面に切屑が付着等し難くなって好ましい。
【００４０】
（４）誘導路の経路と断面形状
誘導路の経路と断面形状は、図６に示したように通路内部（通路途中）で変化してもよい。このような誘導路を三次元的に観た別の形態例を図８に示した。誘導路６１は、長方形状の入口６１１および出口６１３と、それらの間を繋ぐ断面長方形状の内部通路６１２からなる。但し、内部通路６１２は、断面長方形状の通路がねじられている。誘導路６１を用いれば、切屑をあらゆる位置まで所望の経路を経て誘導できるようになる。また誘導路６２のように、入口６２１、内部通路６２２および出口６２３にかけて、通路の断面形状が長方形状から楕円状（または円状）に変化してもよい。誘導路６１や誘導路６２のように、入口と出口の向きや形状を適宜調整することにより、切屑の流動性と切屑の排出性を独立に調整可能となる。
【００４１】
（５）油路
本発明に係る誘導路は、すくい面（特に拘束面）から離脱した切屑が導入される位置に入口がある。この入口は通常、切れ刃または加工点の近傍にある。そこで誘導路に切削油（加工油）が供給されると、その切削油は誘導路の入口から加工点へ供給され易くなる。また誘導路を油路の一部として兼用することにより、別途、油路を形成する必要もない。さらに切削油を加工点へ焦点を合わせた状態で確実に効率よく供給できるため、切削油の使用量も削減可能となる。
【００４２】
従って本発明に係る誘導路は、切れ刃の近傍へ切削油を供給する油路の少なくとも一部を兼ねると好適である。誘導路への切削油の供給方法は種々考えられるが、その一例を図９に示した。切削工具７は、拘束面７１の直下から連なるすくい面Ｃ７に開口した入口７２１を有する誘導路７２と、この誘導路７２の内部で連通する供給油路７３を有する。供給油路７３から切削油が圧送されると、その切削油は誘導路７２の入口７２１から噴出して、拘束面７１さらには加工点へ供給される。このように本発明の切削工具は、切削油の供給油路を備え、誘導路がその途中で供給油路と連通していると好ましい。
【００４３】
（６）対象
誘導路は、いわゆる交換刃具（スローアウェイチップ、単に「チップ」という。）に形成されても良いし、そのチップを保持するホルダーに形成されても良いし、チップを固定するクランプ治具等に形成されてもよい。また、それらが協働して誘導路を構成してもよい。
【００４４】
そのような一形態である切削工具Ｔ１を図１０Ａ〜図１０Ｃに示した。図１０Ｂは図１０ＡのＡ−Ａ断面図を示し、図１０Ｃは図１０ＡのＢ−Ｂ断面図を示す。切削工具Ｔ１は、略正方形環状のチップ９と、チップ９に内挿される略正方形錐台状のクランプ治具８１と、クランプ治具８１を介してチップ９をホルダー（図略）に固定するボルト８２を有する。チップ９の外周端側には環状の拘束面９１（環状の切れ刃）が形成されており、４つのコーナ部でそれぞれ旋削が可能となっている。チップ９の内周面は開口面積が下方に向けて縮小するテーパー状になっている。チップ９の内周面に、クランプ治具８１の錐台状の外周面が部分的に密接し得る。具体的にいうと、図１０Ａに示すＡ−Ａ方向では、図１０Ｂに示すようにチップ９の内周面とクランプ治具８１の外周面は密着した状態となっている。一方、図１０Ａに示すＢ−Ｂ方向では、図１０Ｃに示すようにチップ９の内周面とクランプ治具８１の外周面は密着せずに隙間が生じており、この隙間が誘導路９２となる。
【００４５】
切削工具Ｔ１の変形例である切削工具Ｔ２を図１０Ｄに示した。切削工具Ｔ２は、切削工具Ｔ１のＡ−Ａ断面（図１０Ｂ）を図１０Ｄに示す断面としたものである。具体的にいうと、切削工具Ｔ２は、切削工具Ｔ１のチップ９をチップ２９とし、クランプ治具８１をクランプ治具２８１とした。チップ２９は、チップ９と同様に、４つのコーナ部でそれぞれ旋削が可能なように、それらコーナ部の外周端側にＣ字状の拘束面を有する。但し、各コーナ部の中間（各辺の中央付近）には拘束面を有さず、それらの各中間上端面はクランプ治具２８１により掛止される。チップ２９とクランプ治具２８１とにより誘導路が形成される点は、切削工具Ｔ１の場合と同様である。
【００４６】
さらに別形態である切削工具Ｔ３を図１１Ａおよび図１１Ｂに示した。図１１Ａは平面図であり、図１１ＢはそのＡ−Ａ断面図を示す。切削工具Ｔ３は、略三角形状のチップ３９と、チップ３９に内挿される略三角形錐台状のクランプ治具３８１と、クランプ治具３８１を介してチップ３９をホルダー（図略）に固定する２本のボルト３８２を有する。チップ３９は、一つのコーナ部の外周端側にＣ字状の拘束面３９１（Ｃ字状の切れ刃）を有する。但し、その残りのコーナ部には拘束面が形成されておらず、それらの上端面はクランプ治具３８１により掛止される。チップ３９とクランプ治具３８１により、拘束面３９１の後端側に誘導路３９２が形成される点は切削工具Ｔ１の場合と同様である。なお、切削工具Ｔ３は、その誘導路３９２の入口の近傍に、誘導路３９２に連通穴３９７を有する。連通穴３９７は、チップ３９を固定するボルトの穴または切削油の供給油路に利用できる。
【００４７】
このように本発明の切削工具は、切れ刃（さらには拘束面）を外周端側にＣ字状または環状に有するチップと、チップに内挿され、チップの内周面との間で誘導路を形成する外周面を有する誘導路形成治具（例えばクランプ治具）とを備えると好適である。なお、すくい面（拘束面）を有する刃具と、他部材（固定治具等）とが協働して誘導路が形成される例は、上述した構成例に限らず、種々考えられる。
【００４８】
《その他》
（１）切削工具
本発明に係る切削工具は、その種類を問わないが、旋削工具であると好ましい。なお、本明細書でいう切削工具は、チップのような刃具部分のみでもよいし、ホルダーやシャンクを含むものでもよい。
【００４９】
切削工具は、その材質を問わず、加工方法や被削材の特性に応じて適宜選択される。その一例として、高速度鋼（ハイス）、炭化タングステン（ＷＣ）とバインダーであるコバルト（Ｃｏ）とを含む混合物を焼結した超硬合金、ダイヤモンド、ＣＢＮ等がある。また切れ刃、すくい面、拘束面などは、耐摩耗性、摺動性、低摩擦化等に有効なＤＬＣ膜、ＴｉＮ膜等でコーティングされていてもよい。
【００５０】
（２）被削材
本発明に係る被削材は、その形態を問わない。被削材は、棒状、ブロック状、管状等いずれでも良く、その加工履歴や加工段階も問わない。また被削材の材質はいずれでも良く、鉄系材料（ステンレス鋼等）でも活性金属材料でもよい。活性金属材料として、アルミニウム系、チタン系、マグネシウム材料、銅系材料などがある。中でも、一般的に多用される一方で切削時に凝着を生じ易くて切屑処理が問題となり易いアルミニウム合金の切削に、本発明の切削工具が用いられると好ましい。なお、本明細書でいう「Ｘ系材料」とは、元素Ｘに係る純金属、合金および複合材を意味する。
【００５１】
（３）切削環境
本発明の切削工具は、切削部分の冷却や潤滑を行う切削液が供給されるウエット環境下は勿論、そのような切削液が供給されないドライ環境下で使用されるものでもよい。
【実施例】
【００５２】
本発明に係る誘導路または拘束面を評価するために、以下のような実験を行った。これらの実験結果に基づいて本発明をより具体的に説明する。
【００５３】
《実験例１》
（１）概要
実験用の平面工具と拘束工具をそれぞれ用意し、各工具を用いて旋削加工を行った。各場合における切取り厚さと切屑の流出形態（流出方向、流出角度）の関係を調べた。拘束工具を用いた旋削加工の様子を図１２Ａに、平面工具を用いた旋削加工の様子を図１２Ｂにそれぞれ示した。また、各場合について得られた結果を図１３に併せて示した。
【００５４】
この際、旋削加工は、被削材であるアルミニウム合金パイプ（φ５０×ｔ２ｍｍ／ＪＩＳＡ６０６３）の端面側から、その肉厚部の全幅を切削して行った（近似二次元切削）。このときの被削材の回転数（切削速度）は１３５０ｒｐｍとした。また、平面工具のすくい面のすくい角も、拘束工具の拘束面のすくい角も０°とした（すくい面または拘束面を切削方向に対して垂直とした）。また拘束面は平面状とし、切れ刃から後端縁までの長さ（拘束面の幅）を０．２５ｍｍとした。さらに本実験では、切屑の純粋な流出を確認するために、ドライ環境下で切屑が拘束面以外に接触しないように拘束工具の形状を工夫した。なお、一回転当たりの送り量を変化させることで、切取り厚さに対する切屑流出状態を確認した。
【００５５】
（２）評価
図１２Ａ、図１２Ｂおよび図１３から次のことがわかった。すくい角を０°とした平面工具の場合、切屑はそのすくい面に沿って流出し、この傾向は切取り厚さ（送り量）が変化しても変わらない。一方、拘束工具を用いた場合、拘束面のすくい角は０°でも、切屑の流出角度は０°以下（つまり流出方向が拘束面（すくい面）の下方）となった。また、その流出方向は切取り厚さが大きくなるほど大きくなる傾向を示したが、切取り厚さが小さいときでも、切屑の流出方向は十分にすくい面の下方となることもわかった。従って、拘束面を設けることにより、広範囲な加工条件下で切屑をすくい面の下方へ導くことが可能になることが明らかとなった。
【００５６】
《実験例２》
（１）概要
拘束面と誘導路を有する拘束工具を用意した。この拘束工具の詳細な刃先形状は図１４Ａに示した通りである。この拘束工具を用いて、上述した場合と同様に旋削加工を行った。そのときの様子を図１４Ｂに示した。
【００５７】
（２）評価
図１４Ｂから明らかなように、被削材から発生した切屑はすくい面の下方へ流出し、誘導路内へ導かれることがわかった。そして、その切屑は誘導路を通過して、その出口（図略）から排出されることも確認された。
【００５８】
同様な実験を切取り厚さを種々変化させて行った。いずれの場合も、図１４Ｂのように切屑は誘導路を通過して排出された。なお、変化させた切取り厚さは、０．０５ｍｍ、０．１ｍｍ、０．１４５ｍｍ、０．１７０ｍｍ、０．２ｍｍ、０．２２５ｍｍ、０．２５ｍｍ、０．２９ｍｍ、０．３４ｍｍおよび０．４ｍｍの１０種類とした。
【符号の説明】
【００５９】
ｒｆ  拘束面
ｃｆ  すくい面
【図１】
2015213992.tif 000003
【図２Ａ】
2015213992.tif 000004
【図３Ａ】
2015213992.tif 000005
【図４】
2015213992.tif 000006
【図５Ａ】
2015213992.tif 000007
【図５Ｂ】
2015213992.tif 000008
【図５Ｃ】
2015213992.tif 000009
【図５Ｄ】
2015213992.tif 000010
【図５Ｅ】
2015213992.tif 000011
【図５Ｆ】
2015213992.tif 000012
【図６】
2015213992.tif 000013
【図７】
2015213992.tif 000014
【図８】
2015213992.tif 000015
【図９】
2015213992.tif 000016
【図１０Ａ】
2015213992.tif 000017
【図１０Ｂ】
2015213992.tif 000018
【図１０Ｃ】
2015213992.tif 000019
【図１０Ｄ】
2015213992.tif 000020
【図１１Ａ】
2015213992.tif 000021
【図１１Ｂ】
2015213992.tif 000022
【図１３】
2015213992.tif 000023
【図１４Ａ】
2015213992.tif 000024
【図１５Ａ】
2015213992.tif 000025
【図１５Ｂ】
2015213992.tif 000026
【図１５Ｃ】
2015213992.tif 000027
【図１６】
2015213992.tif 000028
【図２Ｂ】
2015213992.tif 000029
【図２Ｃ】
2015213992.tif 000030
【図３Ｂ】
2015213992.tif 000031
【図３Ｃ】
2015213992.tif 000032
【図１２Ａ】
2015213992.tif 000033
【図１２Ｂ】
2015213992.tif 000034
【図１４Ｂ】
2015213992.tif 000035